(57)【要約】【課題】ゴルフティーの提供。【解決手段】本発明はゴルフティー、特に使用者が持つショットの習性に基づいて、当該ゴルフティーがボールを受ける高さを調整、限定する一種の構造に関するものである。この構造は、ゴルフティー、止め金具、固定手段により構成される。当該止め金具は当該ゴルフティーのロッド部に設けられる。またこのゴルフティーにはロッド部が突き抜けられるようにした第１通し穴が設けられる。そして当該固定手段はそれぞれゴルフティーのロッド部に、及び止め金具にある第１通し穴の内壁に設けられ、互いに干渉して固定しあう第１位置指定部と第２位置指定部を設ける。そのため固定手段が止め金具をゴルフティーのロッド部で上下移動させて調整しその調整後の位置を限定できる。そして止め金具の動きを阻止する働きを利用しゴルフティーの地面への差し込み深さを制御する。それによりプレイヤー一人一人が持つショットの習性に合わせ、ゴルフティーの高さを容易かつ正確に調整し、スイングが質的に向上できるのである。【選択図】図１
2008043720.tif 000002
【特許請求の範囲】
【請求項１】
特に使用者が持つショットの習性に基づいて、当該ゴルフティーがボールを受ける高さを調整、限定する一種の構造に関するものであり、この構造は、ゴルフティー、止め金具、固定手段により構成され、
そのうち、当該ゴルフティーはロッド部の上端部に、窪み部を有する球受け部を設けて、球受け部は窪み部の周辺部に少なくとも３つの支持部が出っ張る形で設けられ、
当該止め金具は当該ゴルフティーのロッド部に設けられ、ゴルフティーが突き抜けられるように設けた第１通し穴、及び連結用ヒモが移動しながら突き抜けるようにした第２通し穴を有し、そして当該連結用ヒモは、移動でき、磁性を有する付着物を突き抜ける形で設けられ、また当該固定手段はゴルフティーのロッド部と、止め金具の第１通し穴内壁にそれぞれ設けられ、互いに干渉し合って固定できる第１位置指定部と第２位置指定部を有することを特徴とするゴルフティー。
【請求項２】
当該固定手段の第１位置指定部、第２位置指定部は、相互にはまり合い固定される引っ掛け溝、凸体であり、また当該凸体の先端には突起物を形成することを特徴とする請求項１記載のゴルフティー。
【請求項３】
当該固定手段の第１位置指定部、第２位置指定部は、相互に捻じれて締め付けあう第１ネジ山、第２ネジ山であることを特徴とする請求項１記載のゴルフティー。
【請求項４】
当該ゴルフティーはロッド部には少なくとも２種類の異なる規格による目盛単位の標示部を設け、また当該止め金具は一端が閉じられた管状形式であることを特徴とする請求項１記載のゴルフティー。
【発明の詳細な説明】
【技術分野】
【０００１】
本発明はゴルフティーに関し、特に使用者が持つショットの習性に基づいて、ゴルフティーロッド部に設けられた止め金具の位置を調整、限定して、ゴルフティーの高さを正確に固定し、使用者一人一人が持つショットの習性に合わせ、ショットの質的向上を効果的に行うものである。
【背景技術】
【０００２】
余暇の時間にゴルフをしてひと時を過ごし、同時に運動をして体を鍛えるという目的を果たす人がますます多くなっている。ゴルフ人気が高まってきているのもそのためである。一般にゴルフ競技でボールを打つ時、ゴルフクラブを振ってボールを打ち易くなるようゴルフボールをゴルフティー（ＧＯＬＦ  ＴＥＥ）に置くのが常である。しかし、ゴルフというスポーツでは、ゲームの良し悪しを左右する要素が多く、例えば体格、心理状態、ゴルフクラブ、スイング特性等、全ての要素がスイング時の成績に影響してくる。また他に、スイングの効果に最も直接影響してくるのが、プレイヤーが持つショットの習性（即ちスイングポイント）、そしてゴルフで使うゴルフティーがボールを受ける高さが適切かどうか、更にはプレイヤー一人一人のスイングポイントがゴルフボールにとって最良のヒッティングポイントにあるかどうかである。そのため、プレイヤーがゴルフ場でいかなる素材のクラブ（例えば、アイアンクラブ、ウッドクラブ・・・等のクラブ）を使ったにかかわらず、スイングしてボールを打つ時にゴルフのゴルフティーがボールを受ける高さは、往々にしてショットの良し悪しを左右する重要な要素になるのである。現在使用されているゴルフティーは、単一ロッドの形式でのみ製造されている。その欠点は、プレイヤーがしばしば毎回必要なゴルフティーの差し込み深さが正確に調整できず、プレイヤーの経験やカンによりゴルフティーがボールを受ける高さを決めなければならないことである。そのためプレイヤーはショット時、スイングポイントが毎回ゴルフボールの最適なヒッティングポイントに正確に位置しなくなり、ボールが飛ぶ方向、距離が一定でなくなってしまうのである。更にはそのことがプレイヤーのその後ショットする時の気分にも影響し、プレイヤーがよいショットを打てなくなることもしばしば見られる。
【０００３】
また、プレイヤーがゴルフをする場合は、練習時に自分のフォームとゴルフボールの運動状態を参考にする必要がある。従来の場合、経験を積んだプレイヤーは、自分のゴルフティーがショットにつられて動く位置を見てゴルフボールが動く方向を判定し、更にショットフォームの良し悪しを判断する。プレイヤーはこのようにして自分のショットフォームを把握するのである。またショットフォーム以外にも、ゴルフ場が違うことで適したゴルフティーの形式も完全に異なってくるから、つまり、高さ、形式が異なる多くのゴルフティーを準備しなければならないことを意味し、これではプレイヤーの経費がかさんでしまい、プレイヤーのニーズに答えられなくなってしまうのである。
【０００４】
そのため現在では、分離型のゴルフティーを販売している業者も見られる。当該ゴルフティーは球受け座とティーロッド部より構成され、球受け座が分離可能という特性を活用し、プレイヤーは球受け座が弾き出される方向によって、ショットフォームの良し悪しを判断するものである。即ち、ゴルフボールが打ち出される時、そのショットの瞬間ゴルフクラブはボールの中心より下に当たり、球受け座はプレイヤーのゴルフクラブ又はゴルフボールの回転により、前方向に弾き出されて地面に落ちる。もしボール中心部より上を打ち込んだ場合は、ゴルフボールは反時計方向に回転し、球受け座は後ろ向きに弾き出されて地面に落ちる。このようにして球受け座が弾き出される方向により、プレイヤーはゴルフボールの回転方向が判断でき、更にはショットフォームの良し悪しを判断する根拠になりえるのである。しかしこれにも欠点があり、ゴルフクラブがうっかり球受け座に当たってしまった時、球受け座は不特定方向に弾き出され、落下し、それにより球受け座は簡単になくなってしまうのである。現状では球受け座がなくならないようにする方法が見出せていないため、プレイヤーはショット時に相当不便な思いをしているのである。
【０００５】
そのうえ、現在使用されているゴルフボール用ゴルフティーは大部分がロッド部上端部にゴルフボールを受ける凹部を設けるのみである。この場合ゴルフボールとゴルフティーの凹部が密着しているため、ゴルフボールが打ち込まれた時、接触面の面積が非常に大きくなるのが欠点である。これではゴルフボールが打ち込まれた後、ゴルフティーの凹部で発生する摩擦力が大きくなり、ゴルフボールが飛んでいる過程での回転率が増加し、ゴルフボールの飛距離が低下してしまうのである。
【０００６】
そのため、上記に見られる従来のゴルフボールは、構造の設計全体で多くの欠陥があり、これらの欠陥は同時に解決できないので、更なる改良が待たれている。上記の問題と欠陥をいかに解決するかが、この業界の関連メーカーにとっては急務になっている。
【発明の開示】
【発明が解決しようとする課題】
【０００７】
発明者は上記の問題点と欠陥に鑑み、関連資料を収集し、各方面の評価と考慮を経て、この業界での長年の経験を積み重ね、更に絶えず試作を経て修正を加えてきた。そしてこの種のゴルフティー構造を設計し、発明特許を誕生させたのである。
【０００８】
本発明の主要な目的は、当該ゴルフティーのロッド部に止め金具が設けられ、それぞれ当該ゴルフティーのロッド部に固定手段の第１位置指定部が、また当該止め金具ではゴルフティーが突き抜けられるように設けた第１通し穴内壁に固定手段の第２位置指定部が設けられていることである。固定手段により第１位置指定部、第２位置指定部は互いに干渉して固定し合う。また止め金具は、ゴルフティーのロッド部が設けた当該目盛りの標示部によりゴルフティーのロッド部に位置するようになり、上下移動して調整し標示部によりその調整後の位置を正確に限定する。そしてゴルフティーの差し込み深さは、止め金具が動きを阻止することで固定できるのである。それによりプレイヤー一人一人が持つショットの習性に合わせ、ゴルフティーの高さを正確に調整し、スイングが質的に向上できるのである。
【０００９】
本発明の次の目的は、当該止め金具に連結用ヒモが移動しながら突き抜けるようにした第２通し穴を更に設けることである。そして当該連結用ヒモは磁性を有する付着物を突き抜ける形で設けられ、また連結用ヒモの付着物が搭載用固定部品に吸い寄せられることが可能である。このようにしてゴルフティーがショット後に外向きに跳ね出された時には、連結用ヒモを用いて当該ゴルフティーを引っ張り回収する。そしてゴルフティーは直ちに再び使用でき、また繰り返しての使用もできる。ゴルフティーをなくした時再購入する余分な経費が節約できるのである。
【００１０】
本発明の別の目的は、当該ゴルフティーでロッド部の上端部に窪み部を有する球受け部を設けることである。球受け部の窪み部は周辺部に少なくとも３つの支持部が出っ張る形で設けられ、支持部は上端部でゴルフボールを受け止めるので、ゴルフボールと球受け部の窪み部が互いに接触する面積が減少できる。ゴルフボールが打ち付けられた時、ゴルフボールと球受け部の窪み部が接触する面積が小さいため発生する摩擦が減少できる。ゴルフボールが飛んでいく過程での回転率が低下でき、ゴルフボールの飛距離が向上できるのである。
【課題を解決するための手段】
【００１１】
請求項１の発明は、特に使用者が持つショットの習性に基づいて、当該ゴルフティーがボールを受ける高さを調整、限定する一種の構造に関するものであり、この構造は、ゴルフティー、止め金具、固定手段により構成され、
そのうち、当該ゴルフティーはロッド部の上端部に、窪み部を有する球受け部を設けて、球受け部は窪み部の周辺部に少なくとも３つの支持部が出っ張る形で設けられ、
当該止め金具は当該ゴルフティーのロッド部に設けられ、ゴルフティーが突き抜けられるように設けた第１通し穴、及び連結用ヒモが移動しながら突き抜けるようにした第２通し穴を有し、そして当該連結用ヒモは、移動でき磁性を有する付着物を突き抜ける形で設けられ、また当該固定手段はゴルフティーのロッド部と、止め金具の第１通し穴内壁にそれぞれ設けられ、互いに干渉し合って固定できる第１位置指定部と第２位置指定部を有することを特徴とするゴルフティーとしている。
請求項２の発明は、当該固定手段の第１位置指定部、第２位置指定部は、相互にはまり合い固定される引っ掛け溝、凸体であり、また当該凸体の先端には突起物を形成することを特徴とする請求項１記載のゴルフティーとしている。
請求項３の発明は、当該固定手段の第１位置指定部、第２位置指定部は、相互に捻じれて締め付けあう第１ネジ山、第２ネジ山であることを特徴とする請求項１記載のゴルフティーとしている。
請求項４の発明は、当該ゴルフティーはロッド部には少なくとも２種類の異なる規格による目盛単位の標示部を設け、また当該止め金具は一端が閉じられた管状形式であることを特徴とする請求項１記載のゴルフティーとしている。
【発明の効果】
【００１２】
本発明であるゴルフティーの構造は使用時において、以下各項で述べる長所を有している：
１．本発明であるゴルフティーのロッド部には止め金具が設けられ、止め金具が動きを阻止する働きによりゴルフティーの高さを制御するものである。これが使用者一人一人が持つショットの習性に合わせ、ゴルフティーがボールを受ける高さを正確に調整し、使用者が持つショットの質的向上を行う。２．本発明の止め金具にある連結用ヒモに突き抜ける形で設けられた付着物は、搭載用固定部品に吸い付くためのもので、連結用ヒモにより当該ゴルフティーを引っ張り回収する。このため当該ゴルフティーは直ちに再び使用でき、また繰り返しての使用もできる。ゴルフティーをなくした時再購入する余分な経費が節約できるのである。３．本発明においてゴルフティーの球受け部には、窪み部の周辺部に少なくとも３つの支持部が出っ張る形で設けられ、これら支持部は上端部でゴルフボールを受け止めるので、ゴルフボール７と球受け部の窪み部が互いに接触する面積に生ずる摩擦を減少できる。ゴルフボールが飛んでいく過程での回転率が低下でき、ゴルフボールの飛距離が向上できるのである。４．本発明ではゴルフティーの球受け部外側が、不規則なフランジ状の形状であってもよい。球受け部の外側を不規則な形状のフランジ状にすることで、使用者がゴルフティーの球受け部外側を握った時の摩擦力を増加させる。そして使用者がゴルフティーを握って回転させる過程で、手が滑って回転しにくくなる情況を避けることができる。
【発明を実施するための最良の形態】
【００１３】
図１、２、３、４に示したのは、本発明による第１の好ましい実施例における外観図、第１の好ましい実施例における実施状態時・実施状態の後を示した拡大図、及び本発明による第２の好ましい実施例の外観図である。図に明確に示された通り、本発明であるゴルフティーはゴルフティー１、止め金具２、固定手段３により構成される。
【００１４】
そのうち、当該ゴルフティー１はそのロッド部の上端部に窪み部１１１の球受け部１１を設け、またそのロッド部の底部に先端部１２を設ける。そして当該ゴルフティー１はそのロッド部上半部の球受け部１１と先端部１２の間に、少なくとも２種の異なる規格による目盛単位（例：メートル法（ミリ）、ヤード・ポンド法（インチ）・・・等）の標示部１３を設け、使用者が調整したい高さ位置を記憶するのに役立つ。また球受け部１１の窪み部１１１外側に少なくとも３つの支持部１１２が出っ張る形で設けられ、球受け部１１の外側を不規則な形状にすることで、使用者がゴルフティー１の球受け部１１外側を握った時の摩擦力を増加させる。そして使用者がゴルフティー１を握って回転させる過程で、手が滑って回転しにくくなる情況を避けることができる。
【００１５】
当該止め金具２は当該ゴルフティー１のロッド部に設けられ、ゴルフティー１が突き抜けるようにした第１通し穴２１、連結用ヒモ４が移動しながら突き抜けるようにした第２通し穴２２を有する。そして当該連結用ヒモ４は移動でき磁性を有する付着物５が突き抜ける形で設けられる。連結用ヒモ４は両端に、それぞれ第２通し穴２２の穴径、及び付着物５に設けられた通し穴５１の穴径よりも大きい脱落防止部４１を設け、連結用ヒモ４が第２通し穴２２から外れ、付着物５と連結用ヒモ４が分離するのを防ぐ。
【００１６】
当該固定手段３は互いに干渉し合って固定できる第１位置指定部３１と第２位置指定部３２を有する。当該第１位置指定部３１はゴルフティー１のロッド部に設けられ、複数の互いに対応する引っ掛け溝３１１を有する。当該第２位置指定部３２は止め金具２の第１通し穴２１内壁に設けられ、少なくとも１組の互いに対応する凸体３２１を有し、凸体３２１の先端にはそれぞれ突起部３２２が形成され、第２位置指定部３２の凸体３２１が第１位置指定部３１の引っ掛け溝３１１に対応するようにはめ込める。それにより当該固定手段３の第１位置指定部３１と第２位置指定部３２は、緊密にはめ合う方式で結合できるのである。
【００１７】
このようにして、上記の各部品が組み合わさる時、当該止め金具２は第１通し穴２１により、当該ゴルフティー１のロッド部に設けられる。そして止め金具２の第１通し穴２１内壁に設けた第２位置指定部３２の凸体３２１と、ゴルフティー１ロッド部に設けられた第１位置指定部３１の複数の引っ掛け溝３１１が異なる垂直軸に位置し上向きになっている（図２参照）。当該止め金具２はこれによりゴルフティー１のロッド部で上下に垂直に移動できる。また止め金具２を水平に回転（止め金具２を９０度水平に回転させるように）させて、止め金具２の第１通し穴２１内壁に設けた第２位置指定部３２の凸体３２１と、ゴルフティー１ロッド部に設けられた第１位置指定部３１の複数の引っ掛け溝３１１が同一の垂直軸に位置し上向きになっている（図３参照）。第２位置指定部３２の凸体３２１は第１位置指定部３１の引っ掛け溝３１１に対応するようにはめ込める。それにより凸体３２１の先端に形成される突起部３２２が引っ掛け溝の外で互いに動きを阻止し合うため、当該止め金具２はゴルフティー１のロッド部でその位置をしっかりと限定できる。
【００１８】
更には（図４参照）、当該固定手段３の第１位置指定部３１と第２位置指定部３２は更に互いに捻じれて締め付けあう第１ネジ山、第２ネジ山を設けることができる。これにより当該止め金具２は、ゴルフティー１と止め金具２が組み合わさる時、第１通し穴２１により当該ゴルフティー１のロッド部に設けられる。止め金具２にある第１通し穴２１の内壁に設けられた第２位置指定部３２の第２ネジ山はゴルフティー１のロッド部に設けられた第１位置指定部３１の第１ネジ山と互いに捻じれて締め付けあう。当該止め金具２はゴルフティー１ロッド部で垂直に上下回転移動し、その位置がしっかりと限定できる。
【００１９】
図５、６に示したのは本発明による第１の好ましい実施例の使用時を示した断面図と、使用後を示した断面図である。各図で明確に示されるように、本発明のゴルフティー１の先端部１２を地面に挿入する時、止め金具２をゴルフティー１のロッド部で、垂直に上下移動させて調整しその調整後の位置が限定できる。そして当該止め金具２の動きを阻止する働きを利用し当該ゴルフティー１の差し込み深さを制御するものである（図の標示Ｄ参照）。更に同時に当該ゴルフティー１のボールを受ける高さを正確に制御する（図の標示Ｈ参照）。このようにしてプレイヤー一人一人が持つショットの習性に合わせ、ゴルフティーの差し込み深さを調整でき、当該ゴルフティー１がプレイヤー一人一人に合ったボールを受ける高さを正確に制御できるのである。こうしてプレイヤー一人一人のスイングポイントはちょうどゴルフボール７の最適なヒッティングポイントに位置することができる。これにより一般のゴルフボール７使用時に、プレイヤーの経験やカンによりゴルフティーのボールを受ける高さを決めなければならないという問題を解決できる。この問題が解決されなければ、プレイヤーが毎回ショットする時にスイングポイントがゴルフボール７の最適なヒッティングポイントに正確に位置できず、ゴルフボール７が飛ぶ方向、距離が一定でなくなってしまう。更にはそれがプレイヤーのその後ショットする時の気分も損ねてしまうのである。
【００２０】
本発明であるゴルフティー１は、止め金具２にある連結用ヒモ４に突き抜けられるようにして設けた付着物５を利用する。そして連結用ヒモ４に突き抜けられるようにして設けた付着物５は、搭載用固定部品６に吸い付くためのものである。すなわち、当該搭載用固定部品６は重量が重い金属物体、又は地面に差し込み可能な金属器具であってもよい。このようにして、ゴルフティー１がショット後外向きに弾き出された時、連結用ヒモ４の一端にある搭載用固定部品６の牽引制御を受け、当該ゴルフティー１を引っ張り回収する。こうして当該ゴルフティー１がなくなるのを効果的に防止するので、ゴルフティー１は直ちに再び使用でき、また繰り返しての使用もできる。ゴルフティーをなくした時再購入する余分な経費が節約できるのである。また付着物５が吸い付く搭載用固定部品６をショットしたい方向に置き、これによりショット方向のターゲットラインを作ることができる。プレイヤーはこれにより、連結用ヒモ４と付着物５が形成するターゲットラインがショット時に目視できる。プレイヤーはそのためボールを正確に打ち出せ、ショット方向への正確度が向上できるのである。
【００２１】
また本発明はゴルフティー１の球受け部１１にある窪み部１１１周辺部に少なくとも３つの支持部１１２が出っ張る形で設けられ、これら支持部１１２の上端部でゴルフボール７を受け止めることにより、ゴルフボール７と球受け部１１の窪み部１１１が互いに接触する面積が減少できる。そのためゴルフボール７が打ち付けられた時、ゴルフボール７と球受け部１１の窪み部１１１が接触する面積が小さいため発生する摩擦が減少できる。ゴルフボール７が飛んでいく過程での回転率が低下でき、ゴルフボールの飛距離が向上できるのである。
【００２２】
図７、８に示したのは、本発明による第３の好ましい実施例における立体外観図、使用状態の断面図である。各図に明確に示されているように、本発明の止め金具２は一端が閉じられた管状形式でもありうる。この場合管状形式の止め金具２を利用してゴルフティー１を収め、固定手段３の第１位置指定部３１と第２位置指定部３２により、ゴルフティー１を管状形式の止め金具２にある第１通し穴２１に位置させ、止め金具２を垂直上下移動させて調整し、その調整後の位置がしっかりと限定できる。実施応用の時は、ゴルフティー１を管状形式の止め金具２により地面に差し込み、差し込み深さ（図の標示Ｄ参照）が固定された状態で、ゴルフティー１が止め金具２の第１通し穴２１に位置し、止め金具２が垂直上下移動して調整し、その調整後の位置をしっかりと限定でき、当該ゴルフティー１のボールを受ける高さを正確に制御できる（図の標示Ｈ参照）。このようにしてプレイヤー一人一人が持つショットの習性に合わせ、当該ゴルフティー１が止め金具２の第１通し穴２１における高さを調整制御でき、プレイヤー一人一人に適したボールを受ける高さに対応できる。プレイヤー一人一人のスイングポイントはちょうどゴルフボール７の最適なヒッティングポイントに位置することができるのである。これにより一般のゴルフボール７のゴルフティーについて、プレイヤーの経験やカンによりボールを受ける高さを決めなければならないという問題を解決できる。この問題が解決されなければ、プレイヤーがショット時にスイングポイントが毎回ゴルフボール７の最適なヒッティングポイントに正確に位置できず、ボールが飛ぶ方向、距離が一定でなくなってしまう。更にはそれがプレイヤーのその後ショットする時の気分も損ねてしまうのである。
【００２３】
そのため上記の好ましい実施例のうち、当該ゴルフティー１のロッド部には止め金具２が設けられる。またそれぞれ当該ゴルフティー１のロッド部に固定手段３の第１位置指定部３１が設けられ、また当該止め金具２ではゴルフティー１が突き抜けられるように設けた第１通し穴２１内壁に、固定手段３の第２位置指定部３２を設けている。固定手段３により第１位置指定部３１、第２位置指定部３２は互いに干渉して固定し合う。そのため止め金具２がゴルフティー１のロッド部に位置するようになり、上下移動して調整しその調整後の位置を正確に限定することで、止め金具２の動きを阻止する働きによりゴルフティー１の高さが制御できる。使用者はこれによりショットの質的向上が図れるのである。
【００２４】
上記の内容を総合すれば、本発明について上記のゴルフボールのゴルフティー構造は実施、操作時、その効果と目的を確実に達成できるものである。
【図面の簡単な説明】
【００２５】
【図１】本発明による第１の好ましい実施例における外観図である。
【図２】本発明による第１の好ましい実施例の実施状態時における拡大図である。
【図３】本発明による第１の好ましい実施例の実施状態後における拡大図である。
【図４】本発明の第２の好ましい実施例における外観図である。
【図５】本発明による第１の好ましい実施例使用時における断面図である。
【図６】本発明による第１の好ましい実施例使用後における断面図である。
【図７】本発明による第３の好ましい実施例における外観図である。
【図８】本発明による第３の好ましい実施例使用状態における断面図である。
【符号の説明】
【００２６】
１  ゴルフティー
２  止め金具
３  固定手段
４  連結用ヒモ
５  付着物
６  搭載用固定部品
７  ゴルフボール
１１  球受け部
１２  先端部
１３  標示部
２１  第１通し穴
２２  第２通し穴
３１  第１位置指定部
３２  第２位置指定部
４１  脱落防止部
５１  通し穴
１１１  窪み部
１１２  支持部
３１１  引っ掛け溝
３２１  凸体
３２２  突起部
【図１】
2008043720.tif 000003
【図２】
2008043720.tif 000004
【図３】
2008043720.tif 000005
【図４】
2008043720.tif 000006
【図５】
2008043720.tif 000007
【図６】
2008043720.tif 000008
【図７】
2008043720.tif 000009
【図８】
2008043720.tif 000010